(57)【要約】【課題】音波を用いて端末装置に所定の情報を表示させる情報処理システムにおいて、互いに異なる複数の音波を利用して、端末装置に所定の情報を表示させることを容易にする。【解決手段】端末装置は、取得した音波が表す識別情報に基づいて所定の情報を表示する端末装置であって、第１の周波数帯で第１の識別情報を表す第１の音波から前記第１の識別情報を抽出する第１の抽出部と、第２の周波数帯で第２の識別情報を表す第２の音波から前記第２の識別情報を抽出する第２の抽出部と、設定された優先度に基づいて、抽出された前記第１の識別情報又は前記第２の識別情報から、前記所定の情報を指示する識別情報を決定する決定部と、を有する。【選択図】図７
2020155829.tif 000002
【特許請求の範囲】
【請求項１】
取得した音波が表す識別情報に基づいて所定の情報を表示する端末装置であって、
第１の周波数帯で第１の識別情報を表す第１の音波から前記第１の識別情報を抽出する第１の抽出部と、
第２の周波数帯で第２の識別情報を表す第２の音波から前記第２の識別情報を抽出する第２の抽出部と、
設定された優先度に基づいて、抽出された前記第１の識別情報又は前記第２の識別情報から、前記所定の情報を指示する識別情報を決定する決定部と、
を有する、端末装置。
【請求項２】
前記第１の音波の前記優先度は、前記第２の音波の前記優先度より高く設定され、
前記決定部は、前記第１の識別情報及び前記第２の識別情報が抽出された場合、前記第１の識別情報を、前記所定の情報を指示する識別情報に決定する、請求項１に記載の端末装置。
【請求項３】
前記第１の識別情報は、前記優先度を変更するための識別情報を含み、
前記端末装置は、前記優先度を変更するための識別情報が抽出された場合、前記第１の音波の前記優先度を、前記第２の音波の前記優先度より低く変更する変更部を有する、請求項２に記載の端末装置。
【請求項４】
前記決定部が決定した前記所定の情報を指示する識別情報を記憶する記憶部と、
前記記憶部に記憶した前記所定の情報を指示する識別情報に従って、前記所定の情報を表示部に表示させる表示制御部と、
を有する、請求項１乃至３のいずれか一項に記載の端末装置。
【請求項５】
前記決定部は、前記第１の抽出部及び前記第２の抽出部で抽出された識別情報より、優先度が高い識別情報が前記記憶部に記憶されている場合、前記第１の抽出部及び前記第２の抽出部で抽出された識別情報を破棄する、請求項４に記載の端末装置。
【請求項６】
決定部は、前記記憶部に前記優先度が高い識別情報を記憶してから所定の時間を経過した場合、前記記憶部に記憶した識別情報の優先度を下げる、請求項５に記載の端末装置。
【請求項７】
前記第１の識別情報は、前記記憶部に記憶した識別情報を削除するための識別情報を含み、
前記端末装置は、前記記憶部に記憶した識別情報を削除するための識別情報が抽出された場合、前記記憶部に記憶した識別情報を削除する削除部を有する、請求項４乃至６のいずれか一項に記載の端末装置。
【請求項８】
前記第１の音波は、所定の施設又は会場内で放送される放送音波を含み、
前記第２の音波は、前記所定の施設又は会場内の一部のエリアで出力される音波を含む、請求項１乃至７のいずれか一項２に記載の端末装置。
【請求項９】
取得した音波が表す識別情報に基づいて所定の情報を表示する端末装置と、第１の周波数帯で第１の識別情報を表す第１の音波を出力する第１の音波出力装置と、第２の周波数帯で第２の識別情報を表す第２の音波を出力する第２の音波出力装置と、を含む情報処理システムであって、
前記端末装置は、
前記第１の音波から前記第１の識別情報を抽出する第１の抽出部と、
前記第２の音波から前記第２の識別情報を抽出する第２の抽出部と、
設定された優先度に基づいて、抽出された前記第１の識別情報又は前記第２の識別情報から、前記所定の情報を指示する識別情報を決定する決定部と、
を有し、
前記第１の音波出力装置は、
前記第１の識別情報を利用して、前記優先度の設定を制御するシステム制御部を有する、
情報処理システム。
【請求項１０】
取得した音波が表す識別情報に基づいて所定の情報を表示する端末装置が、
第１の周波数帯で第１の識別情報を表す第１の音波から前記第１の識別情報を抽出する処理と、
第２の周波数帯で第２の識別情報を表す第２の音波から前記第２の識別情報を抽出する処理と、
設定された優先度に基づいて、抽出された前記第１の識別情報又は前記第２の識別情報から、前記所定の情報を指示する識別情報を決定する処理と、
を実行する、情報処理方法。
【発明の詳細な説明】
【技術分野】
【０００１】
本発明は、端末装置、情報処理システム、及び情報処理方法に関する。
【背景技術】
【０００２】
識別情報を表す音波を出力し、取得した音波が表す識別情報を取得した端末装置に、識別情報に基づいて所定の情報を表示させる情報処理システムが知られている。
【０００３】
例えば、生物や展示物等の対象物を備える施設において、情報端末が、発音装置から発せられる音を取得し、音から抽出した識別情報を用いて、サーバから対象物情報を取得して表示する情報提供システムが知られている（例えば、特許文献１参照）。
【発明の概要】
【発明が解決しようとする課題】
【０００４】
このように、端末装置に、取得した音波が表す識別情報に基づいて所定の情報を表示させる情報処理システムにおいて、互いに異なる複数の音波を利用して、端末装置に所定の情報を表示させたいという要求がある。
【０００５】
例えば、展示会場等において、館内放送で一斉に第１の識別情報を表す音波を出力して、端末装置に「イベント情報」等を表示させ、展示物の周辺に第２の識別情報を表す音波を出力して、端末装置に「展示物のガイド」を表示させたい場合がある。
【０００６】
このような場合、例えば、第１の周波数帯に第１の識別情報を表す第１の音波を出力し、第１の周波数帯とは異なる第２の周波数帯に第２の識別情報を表す第２の音波を出力することにより、第１の識別情報及び第２の識別情報を端末装置に通知することができる。
【０００７】
しかし、この方法だけでは、情報処理システムが、端末装置に、「イベント情報」及び「展示物のガイド」のうち、どちらの情報を表示させるかを制御することができないという問題がある。
【０００８】
このように、従来の技術では、音波を用いて端末装置に所定の情報を表示させる情報処理システムにおいて、互いに異なる複数の音波を利用して、端末装置に所定の情報を表示させることには困難を伴っていた。
【０００９】
本発明の一実施の形態は、上記問題点に鑑みてなされたものであって、音波を用いて端末装置に所定の情報を表示させる情報処理システムにおいて、互いに異なる複数の音波を利用して、端末装置に所定の情報を表示させることを容易にする。
【課題を解決するための手段】
【００１０】
上記課題を解決するため、本発明の一実施形態に係る端末装置は、取得した音波が表す識別情報に基づいて所定の情報を表示する端末装置であって、第１の周波数帯で第１の識別情報を表す第１の音波から前記第１の識別情報を抽出する第１の抽出部と、第２の周波数帯で第２の識別情報を表す第２の音波から前記第２の識別情報を抽出する第２の抽出部と、設定された優先度に基づいて、抽出された前記第１の識別情報又は前記第２の識別情報から、前記所定の情報を指示する識別情報を決定する決定部と、を有する。
【発明の効果】
【００１１】
本発明の一実施の形態によれば、音波を用いて端末装置に所定の情報を表示させる情報処理システムにおいて、互いに異なる複数の音波を利用して、端末装置に所定の情報を表示させることが容易になる。
【図面の簡単な説明】
【００１２】
【図１】一実施形態に係る情報処理システムのシステム構成の例を示す図である。
【図２】一実施形態に係る各音波が利用する周波数帯について説明するための図である。
【図３】一実施形態に係る情報処理システムの利用シーンの一例を示す図である。
【図４】一実施形態に係る抽出されるＩＤ、及び表示情報について説明するための図である。
【図５】一実施形態に係る端末装置のハードウェア構成の例を示す図である。
【図６】一実施形態に係る音波出力装置のハードウェア構成の例を示す図である。
【図７】一実施形態に係る情報処理システムの機能構成の例を示す図である。
【図８】一実施形態に係る処理情報の一例のイメージを示す図である。
【図９】第１の実施形態に係る端末装置の処理の例を示すフローチャートである。
【図１０】第２の実施形態に係る端末装置の処理の例を示すフローチャートである。
【図１１】第３の実施形態に係る端末装置の処理の例を示すフローチャートである。
【図１２】第４の実施形態に係る端末装置の処理の例を示すフローチャートである。
【図１３】第５の実施形態に係る端末装置の処理の例を示すフローチャートである。
【発明を実施するための形態】
【００１３】
以下に、本発明の実施の形態について、添付の図面を参照して説明する。
【００１４】
＜システムの構成＞
初めに一実施形態に係る情報処理システム１００のシステム構成について説明する。
【００１５】
図１は、一実施形態に係る情報処理システムのシステム構成の例を示す図である。情報処理システム１００は、例えば、端末装置１１０、放送装置１２０、音波ビーコン１３０、及びデジタルサイネージ１４０等を含む。
【００１６】
端末装置１１０は、例えば、スマートフォン、タブレット端末等の情報端末である。端末装置１１０は、情報処理システム１００に対応するアプリケーションを実行することにより、放送装置１２０、音波ビーコン１３０、デジタルサイネージ１４０等から出力される音波を取得し、各音波が表す識別情報を抽出することができる。また、端末装置１１０は、取得した音波が表す識別情報に基づいて、所定の情報を表示する。
【００１７】
放送装置１２０は、例えば、屋内施設、地下施設等の施設や、イベント会場等に備えられた複数のスピーカを用いて、音声案内、音楽等の音声放送を行う装置である。また、放送装置１２０は、第１の識別情報（以下、ＩＤ１と呼ぶ）を表す音波Ａを出力することにより、ＩＤ１を取得した端末装置１１０に、ＩＤ１に応じた情報を表示させることができる。例えば、放送装置１２０は、施設又は会場内にある端末装置１１０に、放送中の音声案内を多言語で表示させること、災害時に避難経路を表示させること、開催中のイベントの情報を表示させること等ができる。なお、放送装置１２０は、第１の音波出力装置の一例である。
【００１８】
音波ビーコン１３０は、上述した施設や、イベント会場等に含まれる店舗等に設置され、第２の識別情報（以下、ＩＤ２と呼ぶ）を表す音波Ｂを出力する音波出力装置である。また、音波ビーコン１３０は、音波Ｂを出力することにより、音波Ｂを取得した端末装置１１０に、ＩＤ２に応じた情報を表示させることができる。例えば、音波ビーコン１３０は、店舗等の周辺にある端末装置１１０に、お店のレイアウトを表示させること、お買い得商品の情報を表示させること等ができる。なお、音波ビーコン１３０は、第２の音波出力装置の一例である。
【００１９】
デジタルサイネージ１４０は、上述した施設や、イベント会場等に設置され、例えば、映像、文字、音声等のコンテンツを表示する表示装置である。また、デジタルサイネージ１４０は、デジタルサイネージ１４０が備えるスピーカを用いて、第３の識別情報（以下、ＩＤ３と呼ぶ）を表す音波Ｃを出力することにより、ＩＤ３を取得した端末装置１１０に、ＩＤ３に応じた情報を表示させることができる。例えば、デジタルサイネージ１４０は、デジタルサイネージの周辺にある端末装置１１０に、デジタルサイネージ１４０に映し出されている広告のクーポンを表示させること、表示中の商品の詳細な情報を表示させること等ができる。なお、デジタルサイネージ１４０は、第２の音波出力装置の別の一例である。
【００２０】
（各音波が利用する周波数帯の例）
図２は、一実施形態に係る各音波が利用する周波数帯について説明するための図である。図２は、横軸が周波数であり、放送装置１２０が音波Ａを出力する周波数帯２０１と、音波ビーコン１３０が音波Ｂを出力する周波数帯２０２と、デジタルサイネージ１４０が音波Ｃを出力する周波数帯２０３とが、互いに異なる周波数帯であることを示している。
【００２１】
一例として、放送装置１２０は、１８ｋＨｚ〜２０ｋＨｚの周波数帯２０１に、ＩＤ１を表す音波Ａを出力する。また、音波ビーコン１３０は、１５ｋＨｚ〜１７ｋＨｚの周波数帯２０２に、ＩＤ２を表す音波Ｂを出力する。さらに、デジタルサイネージ１４０は、１２ｋＨｚ〜１４ｋＨｚの周波数帯２０３に、ＩＤ３を表す音波Ｃを出力する。
【００２２】
なお、音波Ａ〜ＣがＩＤを表す方法は任意の方法であって良い。また、音波Ａ〜Ｃは、互いに異なる方式でＩＤを表すものであっても良いし、同じ方式でＩＤを表すものであっても良い。さらに、図２に示す周波数帯２０１〜２０３は一例であり、他の周波数帯を用いても良い。
【００２３】
例えば、放送装置１２０は、１０ｋＨｚ以下の周波数帯を用いて、音声放送、音楽、環境音、効果音等の放送音波に電子透かしでＩＤ１を埋め込むものであっても良い。また、音波ビーコン１３０、デジタルサイネージ１４０等は、１６ｋＨｚ以上の予め定められた複数の周波数のオン／オフでＩＤ２、ＩＤ３を表すものであっても良い。
【００２４】
なお、本実施形態では、放送装置１２０が、音波Ａで表す複数の識別情報をＩＤ１と呼ぶ。同様に、音波ビーコン１３０が音波Ｂで表す複数の識別情報をＩＤ２と呼び、デジタルサイネージ１４０が音波Ｃで表す複数の識別情報をＩＤ３と呼ぶ。
【００２５】
このように、音波Ａ〜音波Ｃを、互いに異なる周波数帯に出力することにより、放送装置１２０、音波ビーコン１３０、及びデジタルサイネージ１４０は、各装置間で同期を取らなくても、ＩＤ１〜３を端末装置１１０に通知することができる。
【００２６】
（利用シーンの一例）
図３は、一実施形態に係る情報処理システムの利用シーンの一例を示す図である。ここでは、情報処理システム１００の利用イメージについて簡単に説明する。図３の例では、所定の施設３００内に、放送装置１２０と、複数のスピーカ３０１Ａ、３０１Ｂ、３０１Ｃ、・・・とを含む放送設備が設けられているものとする。放送装置１２０は、複数のスピーカ３０１Ａ、３０１Ｂ、３０１Ｃ、・・・を用いて、ＩＤ１を表す音波Ａ１２１を施設３００内に出力しているものとする。
【００２７】
また、施設３００内の店舗等の領域３１０には、音波ビーコン１３０が設置されており、ＩＤ２を表す音波Ｂ１２２を領域３１０内に出力しているものとする。さらに、施設３００内の通路やイベントスペース等の領域３２０には、デジタルサイネージ１４０が設置されており、ＩＤ３を表す音波Ｃ１２３を領域３２０内に出力しているものとする。
【００２８】
図４は、一実施形態に係る抽出されるＩＤ、及び表示情報の一例のイメージを示す図である。
【００２９】
図４に示す「抽出されるＩＤの例」は、図３において、端末装置１１０を所持する利用者３０２が、左方向に移動したときに、端末装置１１０によって抽出されるＩＤの一例を示している。
【００３０】
端末装置１１０は、端末装置１１０が備えるマイクを使って周辺の音波を取得し、所定の時間毎（例えば、１秒毎等）に、取得した音波が表すＩＤを抽出することができる。図４の例では、端末装置１１０で抽出されるＩＤが、時間ｔ１〜ｔ２においてＩＤ１、時間ｔ２〜ｔ３においてＩＤ１とＩＤ２、時間ｔ３〜ｔ４においてＩＤ１、時間ｔ４〜ｔ５においてＩＤ１とＩＤ３、時間ｔ５〜ｔ６において、ＩＤ１であることが示されている。
【００３１】
なお、時間ｔ２〜ｔ３は、端末装置１１０が図３の領域３１０にある状態を示しており、時間ｔ４〜ｔ５は、端末装置１１０が領域３２０にある状態を示しているものとする。
【００３２】
図４に示す「表示情報の例（１）」は、複数のＩＤが抽出されたときに、端末装置１１０が、新たに抽出されたＩＤに従って、表示情報を表示する場合の例を示している。この例では、時間ｔ１〜ｔ２において、端末装置１１０は、抽出されたＩＤ１で指示された表示情報（例えば、イベント情報等）を表示部に表示させる。また、時間ｔ２〜ｔ３において、端末装置１１０は、抽出されたＩＤ１とＩＤ２とのうち、新たに抽出されたＩＤ２で指示された表示情報（例えば、店舗の情報等）を表示部に表示させる。さらに、時間ｔ３〜ｔ４において、端末装置１１０は、抽出されたＩＤ１で指示された表示情報（例えば、イベント情報等）を表示部に表示させる。
【００３３】
この表示方法では、例えば、端末装置１１０の利用者３０２が、興味があるイベントの情報を見ているときに、領域３１０に入ってしまうと、表示情報が自動的に店舗の情報等に切り替わってしまうという問題がある。さらに、端末装置１１０の利用者３０２が、領域３２０に入ってしまうと、表示情報が自動的に、デジタルサイネージ１４０が表示しているコンテンツの情報等に切り替わってしまう。
【００３４】
そこで、本実施形態に係る情報処理システム１００は、複数のＩＤが抽出されたときに、端末装置１１０が、どのＩＤの指示に従って表示情報を表示するかを制御できるように、各音波の優先度を制御する機能を有している。
【００３５】
例えば、放送装置１２０は、災害発生時の避難情報等、他の情報より優先度が高い情報を端末装置１１０に表示させる場合、他の音波より優先度が高い音波Ａを出力する。これにより、図４の「表示情報の例（２）」に示すように、他の情報より優先度が高い表示情報（例えば、避難情報等）を、端末装置１１０の表示部に継続的に表示させることができる。
【００３６】
また、放送装置１２０は、天気情報やカレンダー等、他の情報より優先度が低い情報を端末装置１１０に表示させる場合、他の音波の優先度を音波Ａより高く設定する。これにより、例えば、図４の「表示情報の例（１）」に示すように、「店舗の情報」、「コンテンツ」の情報を、端末装置１１０の表示部に優先的に表示させることができるようになる。さらに、放送装置１２０は、図４の「表示情報の例（３）」に示すように、優先度が高く設定された「店舗の情報」、「コンテンツの情報」等の表示を所定の期間維持して、優先度が低い「天気情報」等によって更新されないように制御するものであっても良い。
【００３７】
なお、情報処理システム１００が、端末装置１１０に表示させる表示情報は様々であり、時間の経過に伴って変化し得るため、全ての表示情報の優先度を端末装置１１０が実行するアプリケーション等に予め設定しておくことは困難である。
【００３８】
また、例えば、音波ビーコン１３０等は、一般的に、放送装置１２０とは異なるシステムなので、例えば、音波ビーコン１３０から、最優先の優先度で「店舗の情報」の表示指示が出されてしまうと、放送装置１２０側で制御することは困難である。
【００３９】
一方、本実施形態に係る情報処理システム１００によれば、情報処理システム１００からの制御によって、各音波の優先度を制御できるので、端末装置１１０に所定の情報を表示させることが容易になる。
【００４０】
＜ハードウェア構成＞
（端末装置のハードウェア構成）
図５は、一実施形態に係る端末装置のハードウェア構成の例を示す図である。端末装置１１０は、例えば、スマートフォン、タブレット端末等のコンピュータの構成を有する情報端末である。ただし、これに限られず、端末装置１１０は、コンピュータの構成を有する様々な機器であって良い。
【００４１】
端末装置１１０は、例えば、ＣＰＵ（Central Processing Unit）５０１、メモリ５０２、ストレージデバイス５０３、通信Ｉ／Ｆ（Interface）５０４、表示入力装置５０５、音入出力Ｉ／Ｆ５０６、マイク５０７、スピーカ５０８、及びバス５０９等を有する。
【００４２】
ＣＰＵ５０１は、ストレージデバイス５０３等に格納されたプログラムやデータをメモリ５０２上に読み出し、処理を実行することで、端末装置１１０の各機能を実現する演算装置である。メモリ５０２には、例えば、ＣＰＵ５０１のワークエリア等として用いられるＲＡＭ（Random Access Memory）や、起動用のプログラム等を記憶したＲＯＭ（Read Only Memory）等が含まれる。
【００４３】
ストレージデバイス５０３は、例えば、ＳＳＤ（Solid State Drive）等の不揮発性の大容量記憶装置であり、ＯＳ（Operating System）、アプリケーションプログラム、各種データ等を記憶する。通信Ｉ／Ｆ５０４は、端末装置１１０を通信ネットワークに接続し、他の装置と通信を行うためのインタフェースである。
【００４４】
表示入力装置５０５は、例えば、タッチパネル等の入力デバイスと、ディスプレイ等の表示デバイスとを一体化したタッチパネルディスプレイ等のデバイスである。なお、表示入力装置５０５は、表示装置と入力装置とに分かれていても良い。
【００４５】
音入出力Ｉ／Ｆ５０６は、例えば、音波信号を増幅する増幅回路、デジタルデータを音波に変換するＤＡＣ（Digital to Analog Converter）、音波信号をデジタルデータに変換するＡＤＣ（Analog to Digital Converter）等を含む。マイク５０７は、取得した音波を音波信号に変換して、音入出力Ｉ／Ｆ５０６に出力するマイクロフォンである。スピーカ５０８は、音入出力Ｉ／Ｆ５０６から出力された音波信号を音波に変換して出力するスピーカ、レシーバ等である。バス５０９は、上記の各構成要素に接続され、例えば、アドレス信号、データ信号、及び各種制御信号等を伝送する。
【００４６】
（音波出力装置のハードウェア構成）
放送装置１２０、音波ビーコン１３０、及びデジタルサイネージ１４０は、例えば、図３に示すような音波出力装置６００のハードウェア構成を有している。なお、音波出力装置６００が放送装置１２０である場合、音波出力装置６００は、スピーカ６０８を有していなくても良い。また、音波出力装置６００が、音波ビーコン１３０である場合、音波出力装置６００は、入力Ｉ／Ｆ６０６、表示装置６１０等を有していなくても良い。さらに、音波出力装置６００がデジタルサイネージ１４０である場合、音波出力装置６００は、入力Ｉ／Ｆ６０６を有していなくても良い。
【００４７】
図６は、一実施形態に係る音波出力装置のハードウェア構成の例を示す図である。音波出力装置６００は、コンピュータの構成を備えており、例えば、ＣＰＵ６０１、メモリ６０２、ストレージデバイス６０３、通信Ｉ／Ｆ６０４、音波処理回路６０５、入力Ｉ／Ｆ６０６、出力Ｉ／Ｆ６０７、スピーカ６０８、入力装置６０９、表示装置６１０、及びバス６１１等を有している。
【００４８】
なお、ＣＰＵ６０１、メモリ６０２、ストレージデバイス６０３、通信Ｉ／Ｆ６０４、及びバス６１１は、前述したＣＰＵ５０１、メモリ５０２、ストレージデバイス５０３、通信Ｉ／Ｆ５０４、及びバス５０９と同様であるため、ここでは説明を省略する。
【００４９】
音波処理回路６０５は、ＣＰＵ６０１からの制御に従って、音波の増幅、ＩＤを表す音波の生成等を行うための回路であり、例えば、音波増幅回路、ＤＡＣ、ＡＤＣ、ＤＳＰ（Digital Signal Processor）等を含み得る。入力Ｉ／Ｆ６０６は、音波処理回路６０５に音波信号を入力するためのインタフェースである。出力Ｉ／Ｆ６０７は、例えば、スピーカ６０８、又は外部スピーカ等に音波を出力するインタフェースである。
【００５０】
入力装置６０９は、例えば、キーボード、ポインティングデバイス、操作パネル、ボタン、タッチパネル等、音波出力装置６００への入力操作を受け付ける入力デバイスである。表示装置６１０は、例えば、ディスプレイ、ＬＥＤ（Light Emitting Diode）等の表示デバイスである。
【００５１】
＜機能構成＞
続いて、本実施形態に係る情報処理システム１００の機能構成について説明する。図７は、一実施形態に係る情報処理システムの機能構成の例を示す図である。ここでは、情報処理システム１００が、端末装置１１０、放送装置（第１の音波出力装置）１２０、及び音波ビーコン（第２の音波出力装置の一例）１３０を備える場合の例について説明する。なお、第２の音波出力装置の別の一例であるデジタルサイネージ１４０は、図７に示す音波ビーコン１３０と同様の機能構成を有しているものとする。
【００５２】
（端末装置の機能構成）
端末装置１１０は、例えば、図５のＣＰＵ５０１で所定のプログラムを実行することにより、音波取得部７０１、第１の抽出部７０２Ａ、第２の抽出部７０２Ｂ、第３の抽出部７０２Ｃ、・・・、決定部７０３、変更部７０４、削除部７０５、表示制御部７０６、通信部７０７、及び記憶部７０８等を実現している。なお、上記の各機能構成のうち、少なくとも一部は、ハードウェアによって実現されるものであっても良い。
【００５３】
音波取得部７０１は、例えば、図５のマイク５０７、音入出力Ｉ／Ｆ５０６等を用いて、端末装置１１０の周辺の音波を取得する。
【００５４】
好ましくは、音波取得部７０１は、取得した音波を録音し、録音した音波を音波データに変換して記憶部７０８等に記憶する。
【００５５】
第１の抽出部７０２Ａは、音波取得部７０１が取得した音波（音波データ）を解析して、第１の周波数帯（例えば、図２の周波数帯２０１）で第１の識別情報（ＩＤ１）を表す第１の音波（音波Ａ）から第１の識別情報（ＩＤ１）を抽出する。
【００５６】
第２の抽出部７０２Ｂは、音波取得部７０１が取得した音波（音波データ）を解析して、第２の周波数帯（例えば、図２の周波数帯２０２）で第２の識別情報（ＩＤ２）を表す第２の音波（音波Ｂ）から第２の識別情報（ＩＤ２）を抽出する。
【００５７】
第３の抽出部７０２Ｃは、音波取得部７０１が取得した音波（音波データ）を解析して、第３の周波数帯（例えば、図３の周波数帯２０３）で第３の識別情報（ＩＤ３）を表す第３の音波（音波Ｃ１２３）から第３の識別情報（ＩＤ３）を抽出する。
【００５８】
なお、第１の抽出部７０２Ａ、第２の抽出部７０２Ｂ、第３の抽出部７０２Ｃ、・・・は、１つの抽出部７０２であっても良い。また、以下の説明において、第１の抽出部７０２Ａ、第２の抽出部７０２Ｂ、第３の抽出部７０２Ｃ、・・・の総称として「抽出部７０２」を用いる場合がある。
【００５９】
決定部７０３は、設定された優先度に従って、抽出部７０２で抽出された１つ以上のＩＤの中から、端末装置１１０に所定の情報の表示を指示する１つのＩＤを決定する。
【００６０】
例えば、音波Ａの優先度が、音波Ｂの優先度より高く設定されている状態で、抽出部７０２でＩＤ１１とＩＤ２とが抽出された場合、決定部７０３は、より優先度が高いＩＤ１を、所定の処理を指示するＩＤに決定する。
【００６１】
また、決定部７０３は、決定したＩＤを記憶部７０８の識別情報７１１に記憶する。例えば、決定部７０３は、ＩＤ１を取得できた場合、ＩＤ１を取得した音波Ａの音波種別、及びＩＤ１を記憶部７０８の識別情報７１１に記憶する。
【００６２】
変更部７０４は、抽出部７０２で、前述した優先度の変更を指示する優先度変更用のＩＤが抽出された場合、優先度の設定を変更する。例えば、前述したように、音波Ａの優先度が音波Ｂの優先度より高く設定されている状態で、優先度変更用のＩＤが抽出された場合、変更部７０４は、音波Ａの優先度を音波Ｂの優先度より低く変更する。同様に、音波Ｂの優先度が音波Ａの優先度より高く設定されている状態で、優先度変更用のＩＤが抽出された場合、変更部７０４は、音波Ｂの優先度を音波Ａの優先度より低く変更する。
【００６３】
削除部７０５は、抽出部７０２で、記憶部７０８に記憶した識別情報７１１の削除を指示するＩＤ削除用のＩＤが抽出された場合、決定部７０３が記憶部７０８に記憶した識別情報７１１を削除する。
【００６４】
表示制御部７０６は、決定部７０３が記憶部７０８に記憶した識別情報７１１に従って、所定の情報を表示入力装置５０５等の表示部に表示させる。例えば、表示制御部７０６は、記憶部７０８に記憶した識別情報７１１と処理情報７１２とを用いて、表示部に表示させる表示情報を決定する。
【００６５】
図８は、一実施形態に係る処理情報の一例のイメージを示す図である。図８（Ａ）は、音波Ａに対応する処理情報７１２Ａの一例のイメージを示している。処理情報７１２Ａには、項目として、「音波種別」、「ＩＤ１」、「処理内容」等の情報が含まれる。
【００６６】
「音波種別」の情報は、処理情報７１２Ａが音波Ａに対応する処理情報７１２であることを示している。「ＩＤ１」は、音波Ａが表すＩＤである。「処理内容」は、各ＩＤ１に対応する処理内容を示す情報である。
【００６７】
図８（Ａ）の例では、記憶部７０８に記憶した識別情報７１１に、音波種別「音波Ａ」とＩＤ１「１０１」が記憶されている場合、表示制御部７０６は、「イベント情報を表示（ＵＲＬ１）」の処理を実行する。例えば、表示制御部７０６は、通信部７０７を介して、コンテンツサーバ７３０のＵＲＬ（Uniform Resource Locator）１からイベント情報を取得して、表示入力装置５０５等の表示部に表示させる。
【００６８】
なお、記憶部７０８に記憶した識別情報７１１には、例えば、「ＩＤ１＝１０１」等の形式でＩＤを記憶するものであっても良い。これにより、例えば、識別情報７１１に音波種別「音波Ａ」を記憶しなくても、処理情報７１２Ａから、ＩＤ１に対応する処理内容を特定することができる。
【００６９】
また、図８（Ａ）の例では、ＩＤ１＝００１である場合、優先度変更用のＩＤであり、ＩＤ１＝００２である場合、ＩＤ削除用のＩＤであることが示されている。
【００７０】
図８（Ｂ）は、音波Ｂに対応する処理情報７１２Ｂの一例のイメージを示している。処理情報７１２Ｂには、項目として、「音波種別」、「ＩＤ２」、「処理内容」等の情報が含まれる。「音波種別」の情報は、処理情報７１２Ｂが音波Ｂに対応する処理情報７１２であることを示している。「ＩＤ２」は、音波Ｂが表すＩＤである。「処理内容」は、各ＩＤ２に対応する処理内容を示す情報である。
【００７１】
図８（Ｂ）の例では、記憶部７０８に記憶した識別情報７１１に、音波種別「音波Ｂ」とＩＤ１「１１１」が記憶されている場合、表示制御部７０６は、「既定の店舗情報１を表示」の処理を実行する。例えば、表示制御部７０６は、アプリケーションに予め設定されている店舗情報１を取得して、表示入力装置５０５等の表示部に表示させる。
【００７２】
図８（Ｃ）は、音波Ｃ１２３に対応する処理情報７１２Ｃの一例のイメージを示している。処理情報７１２Ｃには、項目として、「音波種別」、「ＩＤ３」、「処理内容」等の情報が含まれる。「音波種別」の情報は、処理情報７１２Ｃが音波Ｃ１２３に対応する処理情報７１２であることを示している。「ＩＤ３」は、音波Ｃ１２３が表すＩＤである。「処理内容」は、各ＩＤ３に対応する処理内容を示す情報である。なお、各処理情報７１２の「処理内容」には、表示処理以外の処理が含まれていても良い。
【００７３】
ここで、図７に戻り、情報処理システムの機能構成の説明を続ける。
【００７４】
通信部７０７は、例えば、図５の通信Ｉ／Ｆ５０４を用いて、端末装置１１０を通信ネットワーク７４０に接続し、コンテンツサーバ７３０等と通信を行う。
【００７５】
記憶部７０８は、例えば、図５のＣＰＵ５０１で実行されるプログラム、及びストレージデバイス５０３、メモリ５０２等によって実現され、例えば、識別情報７１１、処理情報７１２、及び音波データ等の様々な情報を記憶する。
【００７６】
（放送装置の機能構成）
放送装置１２０は、例えば、図６のＣＰＵ６０１で所定のプログラムを実行することにより、システム制御部７２１、音波生成部７２２、及び記憶部７２３等を実現している。なお、上記の各機能構成のうち、少なくとも一部は、ハードウェアによって実現されるものであっても良い。
【００７７】
システム制御部７２１は、複数のスピーカ３０１Ａ、３０１Ｂ、３０１Ｃ、・・・を用いて、ＩＤ１を表す音波Ａを施設３００内に出力する制御を行う。例えば、システム制御部７２１は、音波生成部７２２を用いて、ＩＤ１を表す音波Ａの音波データを生成し、図６の音波処理回路６０５、及び出力Ｉ／Ｆ６０７を用いて、ＩＤ１を表す音波信号を複数のスピーカ３０１Ａ、３０１Ｂ、３０１Ｃ、・・・出力させる。
【００７８】
これにより、システム制御部７２１は、音波Ａを取得した端末装置１１０に、ＩＤ１に対応する所定の情報を表示させることができる。また、システム制御部７２１は、ＩＤ１として、優先度変更用のＩＤ、ＩＤ削除用のＩＤ等を含む音波Ａを出力させることにより、ＩＤ１を利用して、各音波の優先度の設定を制御することができる。
【００７９】
音波生成部７２２は、システム制御部７２１からの制御に従って、様々な値のＩＤ１を表す音波Ａの音波データを生成する。
【００８０】
記憶部７２３は、例えば、図６のＣＰＵ６０１で実行されるプログラム、及びストレージデバイス６０３、メモリ６０２等によって実現され、様々な情報、データ等を記憶する。
【００８１】
（音波ビーコンの機能構成）
音波ビーコン１３０は、例えば、図６のＣＰＵ６０１で所定のプログラムを実行することにより、音波出力部７３１、音波生成部７３２、及び記憶部７３３等を実現している。なお、上記の各機能構成のうち、少なくとも一部は、ハードウェアによって実現されるものであっても良い。
【００８２】
音波出力部７３１は、例えば、図６の音波処理回路６０５、出力Ｉ／Ｆ６０７、及びスピーカ６０８等を用いて、ＩＤ２を表す音波Ｂを出力する制御を行う。例えば、音波出力部７３１は、音波生成部７３２を用いて、ＩＤ２を表す音波Ｂの音波データを生成し、音波処理回路６０５、出力Ｉ／Ｆ６０７、及びスピーカ６０８等を用いて、ＩＤ２を表す音波Ｂを、施設３００内の店舗等の領域３１０内に出力する。これにより、音波出力部７３１は、音波Ｂを取得した端末装置１１０に、ＩＤ２に従って所定の情報を表示させることができる。
【００８３】
音波生成部７３２は、音波出力部７３１からの制御に従って、様々な値のＩＤ２を表す音波Ｂの音波データを生成する。
【００８４】
記憶部７３３は、例えば、図６のＣＰＵ６０１で実行されるプログラム、及びストレージデバイス６０３、メモリ６０２等によって実現され、様々な情報、データ等を記憶する。
【００８５】
＜処理の流れ＞
続いて、本実施形態に係る情報処理方法の処理の流れについて、複数の実施形態を例示して説明する。
【００８６】
［第１の実施形態］
図９は、第１の実施形態に係る端末装置の処理の例を示すフローチャートである。この処理は、音波Ａの優先度が、音波Ｂの優先度より高く設定されている場合における端末装置１１０の処理の例を示している。
【００８７】
ステップＳ９０１において、端末装置１１０の音波取得部７０１は、端末装置１１０の周辺の音波を取得する。例えば、音波取得部７０１は、マイク５０７を用いて集音した音波を録音し、録音した音波を音波データに変換して記憶部７０８等に記憶する。
【００８８】
ステップＳ９０２において、端末装置１１０の第１の抽出部７０２Ａは、例えば、音波取得部７０１が記憶部７０８に記憶した音波データを解析して、周波数帯２０１でＩＤ１を表す音波Ａから、ＩＤ１を抽出する。
【００８９】
ステップＳ９０３において、端末装置１１０の第２の抽出部７０２Ｂは、ステップＳ９０２の処理と並行して、例えば、音波取得部７０１が記憶部７０８に記憶した音波データを解析して、周波数帯２０２でＩＤ２を表す音波Ｂから、ＩＤ２を抽出する。
【００９０】
ステップＳ９０４において、端末装置１１０の決定部７０３は、第１の抽出部７０２Ａが、ＩＤ１を抽出できたか否かを判断する。ＩＤ１を抽出できた場合、決定部７０３は、処理をステップＳ９０５に移行させる。一方、ＩＤ１を抽出できなかった場合、決定部７０３は、処理をステップＳ９０６に移行させる。
【００９１】
ステップＳ９０５に移行すると、端末装置１１０の決定部７０３は、ＩＤ１を抽出した音波Ａの音波種別「音波Ａ」、及び抽出したＩＤ１を、記憶部７０８の識別情報７１１に記憶する。或いは、決定部７０３は、抽出したＩＤ１が「１０１」である場合、「ＩＤ１＝１０１」を、記憶部７０８の識別情報７１１に記憶するもの等であっても良い。
【００９２】
ステップＳ９０６に移行すると、端末装置１１０の決定部７０３は、第２の抽出部７０２Ｂが、ＩＤ２を抽出できたか否かを判断する。ＩＤ２を抽出できた場合、決定部７０３は、処理をステップＳ９０７に移行させる。一方、ＩＤ２を抽出できなかった場合、決定部７０３は、図９の処理を終了させる。
【００９３】
ステップＳ９０７に移行すると、端末装置１１０の決定部７０３は、ＩＤ２を抽出した音波Ｂの音波種別「音波Ｂ」、及び抽出したＩＤ２を、記憶部７０８の識別情報７１１に記憶する。或いは、決定部７０３は、抽出したＩＤ２が「１１１」である場合、「ＩＤ２＝１１１」を、記憶部７０８の識別情報７１１に記憶するもの等であっても良い。
【００９４】
上記の処理により、決定部７０３は、抽出部７０２で抽出されたＩＤのうち、優先度が最も高く設定されているＩＤを、記憶部７０８の識別情報７１１に記憶する。
【００９５】
ステップＳ９０８において、端末装置１１０は、記憶部７０８の識別情報７１１に記憶したＩＤに対応する情報を表示する。例えば、端末装置１１０の表示制御部７０６は、記憶部７０８の識別情報７１１にＩＤ１「１０２」が記憶されている場合、処理情報７１２Ａを参照して、「イベント情報を表示（ＵＲＬ２）」する処理を実行する。
【００９６】
上記の処理により、放送装置１２０は、ＩＤ１を表す音波Ａを出力することにより、例えば、図４の「表示情報の例（２）」に示すように、ＩＤ１が指示する表示情報を、優先的に端末装置１１０に表示させることができる。
【００９７】
また、放送装置１２０は、ＩＤ１を表す音波Ａの出力を停止することにより、音波Ｂが表すＩＤ２、又は音波Ｃ１２３が表すＩＤ３が指示する表示情報を、端末装置１１０に表示させることができる。
【００９８】
［第２の実施形態］
図１０は、第２の実施形態に係る端末装置の処理の例を示すフローチャートである。この処理は、端末装置１１０の処理の別の一例を示している。
【００９９】
ステップＳ１００１において、端末装置１１０は、例えば、図９のステップＳ９０１〜Ｓ９０３に示すようなＩＤの取得処理を実行し、端末装置１１０の周辺の音波に含まれるＩＤを抽出する。
【０１００】
ステップＳ１００２において、端末装置１１０の決定部７０３は、ステップＳ１００１のＩＤの抽出処理で、他の音波より優先度が高い音波（以下、優先度１の音波と呼ぶ）から、ＩＤを抽出できたか否かを判断する。例えば、第１の実施形態と同様に、音波Ａの優先度が、音波Ｂの優先度より高い場合、決定部７０３は、第１の実施形態と同様に、音波ＡからＩＤ１が抽出できたか否かを判断する。
【０１０１】
優先度１の音波からＩＤを抽出できた場合、決定部７０３は、処理をステップＳ１００７に移行させる。一方、優先度１の音波からＩＤを抽出できなかった場合、決定部７０３は、処理をステップＳ１００３に移行させる。
【０１０２】
ステップＳ１００３に移行すると、端末装置１１０の決定部７０３は、ステップＳ１００１のＩＤの抽出処理で、優先度１の音波より優先度が低い音波（以下、優先度２の音波と呼ぶ）から、ＩＤを抽出できたか否かを判断する。例えば、第１の実施形態と同様に、音波Ｂの優先度が、音波Ａの優先度より低い場合、決定部７０３は、第１の実施形態と同様に、音波ＢからＩＤ２が抽出できたか否かを判断する。
【０１０３】
優先度２の音波からＩＤを抽出できた場合、決定部７０３は、処理をステップＳ１００４に移行させる。一方、優先度２の音波からＩＤを抽出できなかった場合、決定部７０３は、図１０の処理を終了させる。
【０１０４】
ステップＳ１００４に移行すると、端末装置１１０の決定部７０３は、記憶部７０８の識別情報７１１に記憶されているＩＤの音波種別を確認する。
【０１０５】
ステップＳ１００５において、端末装置１１０の決定部７０３は、確認した音波種別が、優先度１の音波の音波種別であるか否かを判断する。確認した音波種別が、優先度１の音波の音波種別でない場合、決定部７０３は、処理をステップＳ１００７に移行させる。一方、確認した音波種別が、優先度１の音波の音波種別ではある場合、決定部７０３は、処理をステップＳ１００６に移行させる。
【０１０６】
ステップＳ１００６に移行すると、端末装置１１０の決定部７０３は、抽出したＩＤを、記憶部７０８の識別情報７１１に記憶せずに、破棄する。
【０１０７】
ステップＳ１００７に移行すると、端末装置１１０の決定部７０３は、ＩＤを抽出した音波の音波種別、及び抽出したＩＤを、記憶部７０８の識別情報７１１に記憶する。例えば、ステップＳ１００２において、優先度１の音波からＩＤを抽出できた場合、決定部７０３は、優先度１の音波の音波種別、及び優先度１の音波から抽出したＩＤを、記憶部７０８の識別情報７１１に記憶する。一方、ステップＳ１００２において、優先度１の音波からＩＤを抽出できなかった場合、決定部７０３は、優先度２の音波の音波種別、及び優先度２の音波から抽出したＩＤを、記憶部７０８の識別情報７１１に記憶する。
【０１０８】
ステップＳ１００８において、端末装置１１０は、記憶部７０８の識別情報７１１に記憶したＩＤに対応する情報を表示する。例えば、端末装置１１０の表示制御部７０６は、記憶部７０８の識別情報７１１に、音波種別「音波Ｂ」、及びＩＤ２「２０２」が記憶されている場合、処理情報７１２Ｂを参照して、「最新の店舗情報２（ＵＲＬ４）を表示」する処理を実行する。
【０１０９】
上記の処理により、端末装置１１０は、複数のＩＤが抽出された場合、より優先度が高い音波が表すＩＤが指示する表示情報を、優先的に端末装置１１０に表示させることができる。
【０１１０】
また、本実施形態では、ステップＳ１００４〜Ｓ１００６の処理により、記憶部７０８の識別情報７１１に優先度１の音波から抽出された優先度がより高いＩＤが記憶されている場合、抽出したＩＤを破棄する。これにより、例えば、優先度１の音波が途切れた場合や、停止した場合等でも、端末装置１１０に、より優先度の高い情報を継続的に表示させることができる。
【０１１１】
［第３の実施形態］
図１１は、第３の実施形態に係る端末装置の処理の例を示すフローチャートである。この処理は、端末装置１１０が、優先度変更用のＩＤを抽出したときに実行する処理の例を示している。なお、図１１において、ステップＳ１００１〜Ｓ１００６、Ｓ１００７、Ｓ１００８の処理は、図１０で説明した第２の実施形態の処理と同様なので、ここでは、第２の実施形態との相違点を中心に説明を行う。
【０１１２】
ステップＳ１００２又はステップＳ１００５からステップＳ１１０１に移行すると、端末装置１１０の変更部７０４は、抽出されたＩＤが、優先度変更用のＩＤであるか否かを判断する。例えば、変更部７０４は、図８（Ａ）の処理情報７１２Ａを参照して、抽出されたＩＤがＩＤ１「００１」である場合、優先度変更用のＩＤであると判断する。
【０１１３】
抽出されたＩＤが優先度変更用のＩＤでない場合、変更部７０４は、処理をステップＳ１００７に移行させる。一方、抽出されたＩＤが優先度変更用のＩＤである場合、変更部７０４は、ステップＳ１１０２において、優先度１の音波の優先度を下げる。例えば、音波Ａの優先度が、音波Ｂの優先度より高く設定されている場合、変更部７０４は、音波Ａの優先度を、音波Ｂの優先度より低く設定する。
【０１１４】
上記の処理により、放送装置１２０は、優先度変更用のＩＤを表す音波Ａを出力することにより、例えば、音波Ｂの優先度を、音波Ａの優先度より高く変更することができる。
【０１１５】
［第４の実施形態］
図１２は、第４の実施形態に係る端末装置の処理の例を示すフローチャートである。この処理は、端末装置１１０が、記憶部７０８の識別情報７１１に記憶されているＩＤの優先度を、時間の経過とともに下げる処理の例を示している。この処理は、端末装置１１０によって継続的に、繰り返し実行される。
【０１１６】
ステップＳ１２０１において、端末装置１１０の決定部７０３は、記憶部７０８の識別情報７１１に記憶されたＩＤが更新されたか否かを判断する。ＩＤが更新された場合、決定部７０３は、ステップＳ１２０２において、タイムカウントを開始する。一方、ＩＤが更新されていない場合、決定部７０３は、処理をステップＳ１２０３に移行させる。
【０１１７】
ステップＳ１２０３に移行すると、決定部７０３は、記憶部７０８の識別情報７１１に記憶されたＩＤの優先度が最低であるか否かを判断する。ＩＤの優先度が最低である場合、決定部７０３は、図１２の処理を終了させる。一方、ＩＤの優先度が最低ではない場合、決定部７０３は、処理をステップＳ１２０４に移行させる。
【０１１８】
ステップＳ１２０４に移行すると、決定部７０３は、記憶部７０８の識別情報７１１に記憶されたＩＤが更新されてから、所定の時間を経過したか否かを判断する。所定の時間を経過していない場合、決定部７０３は、図１２の処理を終了させる。一方、所定の時間を経過した場合、決定部７０３は、処理をステップＳ１２０５に移行させる。
【０１１９】
ステップＳ１２０５に移行すると、決定部７０３は、記憶部７０８の識別情報７１１に記憶されたＩＤの優先度を下げる。
【０１２０】
ステップＳ１２０６において、決定部７０３は、タイムカウントを開始する。
【０１２１】
上記の処理により、情報処理システム１００は、記憶部７０８の識別情報７１１に記憶されているＩＤの優先度を、時間の経過とともに下げて、端末装置１１０に、優先度の高い情報を所定の時間だけ、優先的に表示させることができるようになる。
【０１２２】
［第５の実施形態］
図１３は、第５の実施形態に係る端末装置の処理の例を示す図である。この処理は、端末装置１１０が、ＩＤ削除用のＩＤを抽出したときに実行する処理の例を示している。なお、図１３において、ステップＳ１００１〜Ｓ１００６、Ｓ１００７、Ｓ１００８の処理は、図１０で説明した第２の実施形態の処理と同様なので、ここでは、第２の実施形態との相違点を中心に説明を行う。
【０１２３】
ステップＳ１００２又はステップＳ１００５からステップＳ１３０１に移行すると、端末装置１１０の削除部７０５は、抽出されたＩＤが、ＩＤ削除用のＩＤであるか否かを判断する。例えば、削除部７０５は、図８（Ａ）の処理情報７１２Ａを参照して、抽出されたＩＤがＩＤ１「００２」である場合、ＩＤ削除用のＩＤであると判断する。
【０１２４】
抽出されたＩＤがＩＤ削除用のＩＤでない場合、削除部７０５は、処理をステップＳ１００７に移行させる。一方、抽出されたＩＤがＩＤ削除用のＩＤである場合、削除部７０５は、ステップＳ１３０２において、記憶部７０８の識別情報７１１に記憶した音波種別、及びＩＤを削除する。
【０１２５】
上記の処理により、放送装置１２０は、ＩＤ削除用のＩＤを表す音波Ａを出力することにより、例えば、端末装置１１０に優先的に表示させている情報の表示を、任意のタイミングで終了させることができるようになる。
【０１２６】
以上、本発明の各実施形態によれば、音波を用いて端末装置１１０に所定の情報を表示させる情報処理システム１００において、互いに異なる複数の音波を利用して、端末装置１１０に所定の情報を表示させることが容易になる。
【０１２７】
＜補足＞
上記で説明した実施形態の各機能は、一又は複数の処理回路によって実現することが可能である。ここで、本明細書における「処理回路」とは、電子回路により実装されるプロセッサのようにソフトウェアによって各機能を実行するようプログラミングされたプロセッサや、上記で説明した各機能を実行するよう設計されたＡＳＩＣ（Application Specific Integrated Circuit）、ＤＳＰ（digital signal processor）、ＦＰＧＡ（field programmable gate array）や従来の回路モジュール等のデバイスを含むものとする。
【符号の説明】
【０１２８】
１００      情報処理システム
１１０      端末装置
１２０      放送装置（第１の音波出力装置）
１３０      音波ビーコン（第２の音波出力装置の一例）
１４０      デジタルサイネージ（第２の音波出力装置の別の一例）
７０２Ａ    第１の抽出部
７０２Ｂ    第２の抽出部
７０３      決定部
７０４      変更部
７０５      削除部
７０６      表示制御部
７０８      記憶部
７２１      システム制御部
【先行技術文献】
【特許文献】
【０１２９】
【特許文献１】特開２０１６−１２７０２７号公報
【図１】
2020155829.tif 000003
【図２】
2020155829.tif 000004
【図３】
2020155829.tif 000005
【図４】
2020155829.tif 000006
【図５】
2020155829.tif 000007
【図６】
2020155829.tif 000008
【図７】
2020155829.tif 000009
【図８】
2020155829.tif 000010
【図９】
2020155829.tif 000011
【図１０】
2020155829.tif 000012
【図１１】
2020155829.tif 000013
【図１２】
2020155829.tif 000014
【図１３】
2020155829.tif 000015